Podtech/llm-jp-corpus-v4-ja_patent huggingface dataset:
(57)【特許請求の範囲】
【請求項１】
女性の胸部に適用するブレストポンプ用胸部カバーインサートであって、前記胸部カバーインサートは枠体を有し、同枠体は後方における大開口部と前方における小開口部を有する実質的に円錐台形状を有するとともに枠体の壁を有し、前記枠体の壁は内側壁をもつ二重壁として形成され、少くとも前記内側壁は弾性状に変形可能であり、前記二重壁は内部に閉じられたスペースを形成し、かつ、前記スペースには変形可能な媒体が充填されてなることを特徴とする胸部カバーインサート。
【請求項２】
前記スペースに充填される媒体は、気体、例えば空気、又は好ましくは稠密な流動体、又はゲル、又はシリコーンでなることを特徴とする請求項１記載の胸部カバーインサート。
【請求項３】
前記枠体の小開口部の半径方向内側の周囲に隆起部が設けられてなることを特徴とする請求項１又は２記載の胸部カバーインサート。
【請求項４】
前記隆起部は、好ましくは充填媒体、例えばシリコーン、が充填された変形可能なスペースとして形成されてなることを特徴とする請求項３記載の胸部カバーインサート。
【請求項５】
前記枠体の弾性状に変形可能な内側壁は、前記大開口部の縁辺部と前記小開口部における隆起部の内側の縁辺部との間に延在してなることを特徴とする請求項３又は４記載の胸部カバーインサート。
【請求項６】
前記胸部カバーインサートの内側に弾性の補助インサート（１３）が設けられ、かつ、前記補助インサート（１３）は前記枠体に着脱可能に又は固定して取付けられてなることを特徴とする請求項１又は２記載の胸部カバーインサート。
【発明の詳細な説明】
【０００１】
【発明の属する技術分野】
本発明は、女性の胸部に適用するブレストポンプ用胸部カバーインサートに関する。この胸部カバーインサートは、後方における大開口部と前方における小開口部を有する実質的に円錐台形状の枠体で形成される。
【０００２】
上記のような胸部カバーインサートは近時は一般に知られており、種々の胸部のサイズにカバーを適合させるために及び母乳の出を改善させる刺激効果を与えるために使用される。
【０００３】
本発明は、インサートのユニークな構成ないしは構造により胸部カバーインサートをより最適化し、その適用をより快適にすることを課題とする。
【０００４】
この課題は、上述の胸部カバーインサートにおいて、本発明により、特許請求の範囲における請求項１の特徴部に記載された特徴を付与することにより達成される。
【０００５】
本発明により実現される効果及び適用時の快適性は、従来のものに比べて大幅に向上する。
【０００６】
本発明による実施の形態は、それぞれの従属請求項に定義されている。
【０００７】
以下において、本発明を添付の図を参照してより詳細に説明する。
【０００８】
図１は、、本発明によるインサートの１つの実施の形態を示す縦断面図であり、ここにおいて、円錐台形状の胸部カバーインサートは枠体１（プラスチック又はゴム状弾性材で作られる）で形成される。枠体１は、後方における大開口部２と前方における小開口部３を有する。小開口部３の半径方向内側の周囲には、隆起部（稠密部）４が設けられている。この隆起部４は女性の胸部に（刺激効果のために）負荷を与えるべく作用する。隆起部４の内側の縁辺部と大開口部２の縁辺部５との間には、弾性の内側壁６（例えば、ＰＵシート）が延在し、この内側壁６と枠体１の外側壁の二重壁によりスペース７が形成されている。スペース７には、変形可能な媒体（気体、例えば空気；稠密な流動体；ゲル；シリコーン）が充填されている。この手段は、適用時の快適性を実質的に向上させることに寄与する。
【０００９】
図２は、本発明によるインサートの別の実施の形態を示しており、ここにおいては、図１の実施の形態に比べて、枠体８が若干変形されている。更に、この枠体８は、弾性材で円錐台形に作られた１つの中空形状体として形成されている。小開口部１０における隆起部９とスペース１１内の充填は、図１の場合と同様に実施される。
【００１０】
図３は、本発明によるインサートの更に別の実施の形態を示している。図３において、胸部カバーインサート１２は、図１又は図２に示された実施の形態と実質的に同じ構成である一方、このインサート１２においては、枠体の小開口部に設けられた隆起部（４又は９）の代りに、弾性材（シリコーンシート）で作られた補助インサート１３が設けられている。この補助インサート１３も同様に、胸部における中心位置を調整し、かつ、刺激効果を付与するべく作用する。補助インサート１３により、乳頭の最適な位置合せを可能とし、また、胸部カバーを取外した後の母乳の不都合な落下を回避することを可能とする（即ち、補助インサート１３と枠体との間のスペースに母乳が補集される）。補助インサート１３は枠体の内側に着脱可能に又は固定して取付けられる。
【図面の簡単な説明】
【図１】  本発明による胸部カバーインサートの１つの実施の形態を示す縦断面図。
【図２】  本発明による胸部カバーインサートの別の実施の形態を示す縦断面図。
【図３】  本発明による胸部カバーインサートの更に別の実施の形態を示す縦断面図。
【図１】
0004444561.tif 000002
【図２】
0004444561.tif 000003
【図３】
0004444561.tif 000004
(57)【特許請求の範囲】
【請求項１】
障子下框の下面に凹入部を設け、該凹入部に、下枠上を転動するローラを主体枠に回動自在に枢着して構成したダレ止め金具の前記主体枠を係合して止着ねじで前記障子下框に止着するようにした開き障子において、前記主体枠の部片にねじ孔を設け、該ねじ孔に外側から前記凹入部を構成する室内外の壁部片の一方を通じて前記止着ねじを螺合した、開き障子のダレ止め金具の取付け装置。
【発明の詳細な説明】
【０００１】
【産業上の利用分野】
本発明は開き障子のダレ止め装置に関するものである。
【０００２】
【従来の技術】
障子下框の下面に凹入部を設け、下枠上を転動するローラを主体枠に回動自在に枢着して構成したダレ止め金具の前記主体枠を前記凹入部に係合して、主体枠の上部片を前記凹入部上壁部片に止着ねじで止着した構造のものがある。
【０００３】
【発明が解決しようとする課題】
前記従来例は、障子開放時に床面に障子下框が近接する構造（適用の仕方）の開き障子にあっては、上壁部片に止着ねじを螺合してダレ止め金具を螺合して取付ける構成を採るため、前記床面の存在により止着ねじの工具（ドライバー）による離脱操作が難しく、障子からダレ止め金具を取り外すには障子全体を枠体（窓枠などの）から取り外してその操作を行わねばならない。
【０００４】
従って、何等かの外力の負荷により所謂ダレが生じて金具の交換、修理等々を必要とするときの当該金具の取り外し操作が甚だ煩雑となる。
【０００５】
本発明は斯様な従来例の欠点に着目して必要に際し、ダレ止め金具の着脱を容易に行える装置を提供することを目的として創案したものである。
【０００６】
【課題を解決するための手段】
障子下框の下面に凹入部を設け、該凹入部に、下枠上を転動するローラを主体枠に回動自在に枢着して構成したダレ止め金具の前記主体枠を係合して止着ねじで前記障子下框に止着するようにした開き障子において、前記主体枠の部片にねじ孔を設け、該ねじ孔に外側から前記凹入部を構成する室内外の壁部片の一方を通じて前記止着ねじを螺合した構成とする。
【０００７】
【実施例】
図面は本発明に係る開き障子のダレ止め金具の取付け装置の一実施例を示し、図１は縦断面図、図２は横断面図、図３はダレ止め金具の斜視図、図４はダレ止め金具の取付け位置を示すサッシの正面図である。
【０００８】
実施例は、本発明を両開き折りたたみサッシに適用したものであって、１は障子２の下框で、下框１はその下面に凹入部３を備え、該凹入部３にダレ止め金具４の主体枠５を係合して止着し、このダレ止め金具４のローラ６が載って転動するダレ止め受７を窓枠８の下枠９に設けたものである。
【０００９】
ダレ止め金具４は、水平部片５ａと該水平部片５ａの両側に相対設した側部片５ｂ，５ｂおよび該側部片５ｂ，５ｂの一端側において該側部片５ｂ，５ｂ間において前記水平部片５ａに連設した取付部片５ｃとで成る前記主体枠５の前記側部片５ｂ，５ｂの前記一端に対応する他の一端側に前記ローラ６を回動自在に枢着して構成し、前記下枠９の凹入部３を構成する上壁部片３ａに主体枠５の水平部片５ａを、障子閉塞時における室外側壁部片３ｂに取付部片５ｃをそれぞれ重ね合わせ、取付部片５ｃに設けたねじ孔１０に、外側から前記室外側壁部片３ｂを通じて止着ねじ１１を螺合、締付けて下枠９に凹入部３に係合するようにして取付けたものである。
【００１０】
なお、水平部片５ａに設けたねじ孔１０ａは、図１二点鎖線で示すように下枠９の前記上壁部片３ａに止着ねじ１１ａを用いて取付ける場合のためである。
【００１１】
また、凹入部を構成する室内側の壁部片を通じて止着ねじにより主体枠を下框に止着するようにしても良い。
【００１２】
【発明の効果】
本発明は前記の通りの構成であるから、障子に対するダレ止め金具の着脱を容易に行うことができる。
【図面の簡単な説明】
【図１】縦断面図。
【図２】横断面図。
【図３】ダレ止め金具の斜視図。
【図４】ダレ止め金具の取付け位置を示すサッシの正面図。
【符号の説明】
１      下框
３      凹入部
３ｂ    室外側壁部片
４      ダレ止め金具
５      主体枠
６      ローラ
９      下枠
１０    ねじ孔
１１    止着ねじ
【図１】
0004486281.tif 000002
【図２】
0004486281.tif 000003
【図３】
0004486281.tif 000004
【図４】
0004486281.tif 000005
(57)【特許請求の範囲】
【請求項１】
障子側にダレ止め金具を設け、該ダレ止め金具のローラが上面に接触するダレ止め受けを窓枠下枠に設けた開き障子のダレ止め装置において、前記ダレ止め受けの高さを、複数枚の構成部片を互いに積層して前記窓枠下枠に着脱可能に止着して調節するようにした、ダレ止め受けの高さ調節方法。
【発明の詳細な説明】
【０００１】
【産業上の利用分野】
開き障子は戸尻側を窓枠下枠に蝶着し、該蝶着部において戸先側の荷重を受けるため、戸先側がダレ、閉塞状態にする際、そのダレを吸収するため、戸先側にダレ止め装置を設けて、当該閉塞操作を円滑に行うようにしている。
【０００２】
本発明は斯様な開き障子のダレ止め装置におけるダレ止め受けの高さ調節方法に関するものである。
【０００３】
【従来の技術】
具体例を挙げるまでもなく、障子側にダレ止め金具を設け、該ダレ止め金具のローラが上面に接触するダレ止め受けを窓枠下枠に設けて構成している。
【０００４】
【発明が解決しようとする課題】
前記従来例は、窓枠下枠上に載置して固定したダレ止め受けの厚さが一定のため、該ダレ止め受け上に乗り上げるダレ止め金具のローラの当り具合（乗り上げ具合）の調整が行えない欠点があり、その結果、加工精度の不具合や経時変化に伴う当り（乗り上げ）の不具合に対処する手段がない。
【０００５】
本発明は斯様な状況を勘案して創案したものである。
【０００６】
【課題を解決するための手段】
障子側にダレ止め金具を設け、該ダレ止め金具のローラが上面に接触するダレ止め受けを窓枠下枠に設けた開き障子のダレ止め装置において、前記ダレ止め受けの高さを、複数枚の構成部片を互いに積層して前記窓枠下枠に着脱可能に止着して調節するようにしたものである。
【０００７】
【実施例】
図面は本発明に係る開き障子のダレ止め装置におけるダレ止め受けの高さ調節方法の適用例を示し、図１は要部の断面図、図２は横断面図、図３はダレ止め装置の配置関係を示す正面図、図４はダレ止め受けの構成部片の斜視図、図５はダレ止め受けの高さを変えた状態の要部の断面図である。
【０００８】
実施例は、本発明を両開き折たたみサッシに適用したものであって、１は障子２の下框で、下框１はその下面に凹入部３を備え、該凹入部３にダレ止め金具４の主体枠５を係合して止着し、このダレ止め金具４のローラ６を乗り上げさせるダレ止め受け７を窓枠８の下枠９に設けたものである。
【０００９】
ダレ止め金具４は、水平部片５ａと該水平部片５ａの両側に相対設した側部片５ｂ，５ｂおよび該側部片５ｂ，５ｂの一端側において該側部片５ｂ，５ｂ間において前記水平部片５ａに連設した縦部片５ｃとで成る前記主体枠５の前記側部片５ｂ，５ｂの前記一端に対応する他の一端側に前記ローラ６を回動自在に枢着して構成し、水平部片５ａに貫通させた取付ねじ１０を下框部片１ａに螺合して下框１に取付けたものである。
【００１０】
ダレ止め受け７は、実施例の場合は、第一乃至第三の各構成片７Ａ，７Ｂ，７Ｃを、適宜積層して、各構成片７Ａ，７Ｂ，７Ｃに設けた一対の貫通孔１１，１１、１１ａ，１１ａ、１１ｂ，１１ｂに止着ねじ１２を貫通させて窓枠下枠９に設けたねじ孔１３に螺合して締付け、該ダレ止め受け７の高さ、すなわち、前記ローラ６が、乗り上げるダレ止め受け７としての高さを調節するようにしたもので、図１は第一乃至第三の各構成片７Ａ，７Ｂ，７Ｃ全部を用いて高さ調節した場合を、また、図５は第一構成片７Ａと第二構成片７Ｂを用いて高さ調節した場合をそれぞれ示している。
【００１１】
第一構成片７Ａは、前記貫通孔１１，１１と第二構成片７Ｂと第三構成片７Ｃに設けた突起１３ａ，１３ｂが係合する透孔１４ａ，１４ｂを設け、前端側の上面を前記ローラ６が乗り上げ易くするためのテーパ面ａを設けた平板体で構成する。
【００１２】
また、第二構成片７Ｂは、上面の形態が第一構成片７Ａの下面の形態と一致する平板体に前記貫通孔１１ａ，１１ａと第一構成片７Ａに設けた透孔１４ａに係合する前記突起１３ａおよび第三構成片７Ｃに設けた前記突起１３ｂが係合する透孔１５ｂを設けて構成したものである。
【００１３】
第三構成片７Ｃは、上面の形態が前記第二構成片７Ｂの下面に一致する平板体に前記貫通孔１１ｂ，１１ｂおよび突起１３ｂ，１３ｂを設けて構成したものである。
【００１４】
そして、障子２のダレの程度に応じて第一構成片７Ａ単独又は該第一構成片７Ａと、第二構成片７Ｂと第三構成片７Ｃの一方又は双方と組合わせて用いるのであって、第一構成片７Ａ単独の場合は、図示省略してあるが、該第一構成片７Ａを下枠９上に載置して前記止着ねじ１２を貫通孔１１を通じてねじ孔１３に螺合締付けて用いる。
【００１５】
第一構成片７Ａと第二構成片７Ｂをダレ止め受け７の高さ調節する場合は、第二構成片７Ｂに設けた突起１３ａを第一構成片７Ａに設けた透孔１４ａに係合して両構成片７Ａ，７Ｂを互いに重ね合わせ止着ねじ１２を貫通孔１１と１１ａに順次通して下枠９に設けたねじ孔１３に螺合締付けて行う（図５）。
【００１６】
また、前記のように第一構成片７Ａを組合わせた第二構成片７Ｂの下面側に、突起１３ｂを各構成片７Ａ，７Ｂに設けた透孔１５ｂ，１４ｂに係合して第三構成片７Ｃを組合わせ、止着ねじ１２を貫通孔１１と１１ａおよび１１ｂに順次通して下枠に設けたねじ孔１３に螺合締付けて３枚の構成片７ａ，７ｂ，７Ｃを用いたダレ止め受け７の高さ調節を行うのである。
【００１７】
各構成片７ａ，７Ｂ，７Ｃを組付ける際、実施例のように突起１３ａ，１３ｂと透孔１４ａ，１４ｂ、１５ｂの係合関係を用いる必要はないが、この係合関係により各構成片７Ａ，７Ｂ，７Ｃは互いに強固に組付けられる。
【００１８】
【発明の効果】
本発明は、前記の通りの構成であるから、ダレ止め受けの高さ調節を簡単に行うことができる。
【図面の簡単な説明】
【図１】要部の断面図。
【図２】横断面図。
【図３】ダレ止め装置の配置関係を示す正面図。
【図４】ダレ止め受けの構成部片の斜視図。
【図５】ダレ止め受けの高さを変えた状態の要部の断面図。
【図１】
0004486285.tif 000002
【図２】
0004486285.tif 000003
【図３】
0004486285.tif 000004
【図４】
0004486285.tif 000005
【図５】
0004486285.tif 000006
(57)【特許請求の範囲】
【請求項１】
エチレングリコールを主成分とする溶媒に、有機酸またはその塩と、無機酸またはそのアンモニウム塩を溶解し、アリザリンコンプレクソン（化１）を０．１〜５．０ｗｔ％添加することを特徴とする電解コンデンサの駆動用電解液。
【化１】
0004523710.tif 000004
【発明の詳細な説明】
【０００１】
【発明の属する技術分野】
本発明は、電解コンデンサの駆動用電解液（以下、電解液と称す）の改良に関するものであり、特に耐電圧を改善した電解液に関するものである。
【０００２】
【従来の技術】
従来、中圧用アルミニウム電解コンデンサの電解液は、エチレングリコールを主成分とする溶媒に、アジピン酸アンモニウム等の有機酸塩と、ホウ酸を溶解し、マンニトール、ソルビトール等の炭素数６程度の多価アルコール類を添加していた。また、合成高分子であるポリビニルアルコールを添加すると、電解液の耐電圧をさらに向上させることが可能である。
【０００３】
【発明が解決しようとする課題】
しかし、上記のマンニトール、ソルビトール等の多価アルコールは、添加量に対する電解液の耐電圧の向上作用が緩慢なため耐電圧を大幅に向上させるには、これらを大量に添加する必要があり、比抵抗の上昇を招くという問題が生じる。また、多価アルコールを多量に添加するとアジピン酸等の有機カルボン酸とエステル化反応を起こし、電解液が劣化するという問題があった。
そして、ポリビニルアルコールは少量の添加で電解液の耐電圧向上が図れるが、エチレングリコールを主成分とする溶媒に対して溶解性が著しく低いため、十分な耐電圧の向上を図ることができず、さらに長時間の加熱と攪拌が必要という問題があった。
【０００４】
【課題を解決するための手段】
本発明は上記課題を改善し、電解液の比抵抗の上昇を抑制しつつ、耐電圧の上昇を図ることが可能な電解コンデンサ用の電解液を提供するものである。既にアリザリンが電極箔の水和劣化を抑制することを見出し特許出願を行っているが、さらに検討した結果、本発明者は、アリザリンコンプレクソンがキノン骨格を持ち、カルボキシル基を有するため、電極箔の水和劣化を抑制するだけでなく、電解液の比抵抗の上昇を抑制しながら耐電圧の上昇を図れることを見出した。すなわち本発明は、エチレングリコールを主成分とする溶媒に、有機酸またはその塩と、無機酸またはそのアンモニウム塩を溶解し、アリザリンコンプレクソン（化２）を０．１〜５．０ｗｔ％添加することを特徴とする電解コンデンサの駆動用電解液である。
【０００５】
【化２】
0004523710.tif 000002
【０００７】
なお、有機酸としては、ギ酸、酢酸、プロピオン酸、エナント酸等の脂肪族モノカルボン酸、マロン酸、コハク酸、グルタル酸、アジピン酸、スベリン酸、アゼライン酸、セバシン酸、デカンジカルボン酸、マレイン酸等の脂肪族ジカルボン酸、安息香酸、フタル酸、サリチル酸等の芳香族カルボン酸を挙げることができる。
【０００８】
無機酸としては、ホウ酸、リン酸、亜リン酸、次亜リン酸、スルファミン酸等を挙げることができる。
【０００９】
有機酸の塩としては、メチルアミン、エチルアミン等の１級アミン塩、ジメチルアミン、エチルメチルアミン、ジエチルアミン等の２級アミン塩、トリメチルアミン、ジメチルエチルアミン、ジエチルメチルアミン、トリエチルアミン等の３級アミン塩、テトラメチルアンモニウム、テトラエチルアンモニウム等の４級アンモニウム塩、アンモニウム塩、イミダゾリニウム塩を挙げることができる。
【００１０】
【発明の実施の形態】
アリザリンコンプレクソンは融点が高く、熱安定性に優れており、また、金属酸化物と反応し耐水性の皮膜を形成するため、アルミニウム酸化皮膜の上に保護膜を形成し、電極箔の水和劣化を抑制することができる。また、カルボキシル基を有するため、アルミニウム酸化皮膜と反応してもカルボン酸の性質を持つので比抵抗の上昇がほとんどない。
【００１１】
【実施例】
以下、本発明の実施例について具体的に説明する。表１の組成で電解液を調合し、３０℃における比抵抗と８５℃における火花発生電圧とを測定し表１を得た。
【００１２】
【表１】
0004523710.tif 000003
【００１３】
表１より、ポリビニルアルコールを添加した従来例２は、火花発生電圧（電解液の耐電圧）の向上が認められるが、２ｗｔ％添加した従来例３は完全に溶解せず、ポリビニルアルコールでは耐電圧の向上が不十分であることが分かる。しかしながら、アリザリンコンプレクソンを添加した実施例は比抵抗の上昇を抑えながら、耐電圧の向上が図れていることが分かる。また、アリザリンを添加した比較例と比べても、実施例の方が効果が大きく優れていることが分かる。
【００１４】
アリザリンコンプレクソンの添加量を変更した電解液を調合し、アルミニウム電解コンデンサ素子に電解液を含浸し、電解コンデンサを各２０個作製し、１０５℃５０００時間定格印加試験を行い、弁膨張による外観不良率を測定した。アリザリンコンプレクソン添加量と電解液比抵抗および外観不良率との特性図を図１に示す。
【００１５】
表１および図１の結果より、アリザリンコンプレクソン添加量が多いほど比抵抗が高くなるため、０．１〜５．０ｗｔ％の範囲が好ましい。
【００１６】
【発明の効果】
上記のとおり本発明による電解液は、エチレングリコールを主溶媒とし、アリザリンコンプレクソンを添加することで、電解液の比抵抗の上昇を抑制しながら耐電圧を向上でき、さらに電極箔の水和劣化も抑制できるので、コンデンサの信頼性を改善することができる。
【図面の簡単な説明】
【図１】アリザリンコンプレクソン添加量と電解液比抵抗および外観不良率との特性図である。
【図１】
0004523710.tif 000005
(57)【特許請求の範囲】
次の（ア）から（エ）の各部品から構成される縦使用横使用兼用バインダー
（ア）  図２における、断面が台形状であって図２において斜線によって図示されている板状部材〔板状部分又は板状部品〕
（イ）  当該板状部材の両面に、１つづつ設けられた、当該板状部材との間で物を挟む機能を備えたクリップ部分。
（ウ）  前記のとおり１つづつ設けられた当該クリップ部分を構成する２つの部分。すなわち、次の２つの部分。１つめの部分は、バネの力を具備するバネ部分。２つめの部分は次のとおり。当該バネ部分の付勢力により、当該板状部材との間で物を挟む断面が三角形の板状の部分であって、かつ、当該板状部材に回動可能に接続するために設けられる前記板状の部分の一部を構成する部位であって、かつ当該板状の部分から、当該板状部材と回動可能に接続される部位に、延出して設けられる、断面が台形状の部位を備えた、前記板状の部分。
（エ）  図１の図示における、図２の図示における部材が、縦使用の場合と、横使用の場合とで、挟持されて設けられる、図２の図示における部材を構成するものでなく図２の図示における部材が挟持される、矩形状の部材。
【発明の詳細な説明】
【技術分野】
【０００１】  この発明は今まで縦使用、横使用と２種類あったバインダーをとじ具を付け替えることにより１つで２種類の使い方ができるようにしたものである。
【背景技術】
【０００２】  従来のバインダーはとじ具が固定されている物しかなかった。
【発明の開示】
【発明が解決しようとする課題】
【０００３】  縦書きの書類と横書きの書類ではその書類に合わせたバインダーが必要であるがいつどの様な書類が使われるかは解らないので常に２種類用意しておかなければならないのが難点であった。本発明は、この課題を解消するためになされたものである。
【課題を解決するための手段】
【０００４】  バインダー本体に固定されているとじ具をクリップやボタン等に変える事により用途により場所を付け替える事ができる様にした。
【発明の効果】
【０００５】  とじ具をクリップやボタン等に変える事により用途により場所を付け替える事ができる様にした事で今まで２つ用意していた物が１つで済む。
【実施例】
【０００６】  バインダー本体に固定されているとじ具をクリップやボタン等に変える事により用途により場所を付け替える事ができる様にした。
【図面の簡単な説明】
【０００７】
【図１】  本発明の使用例である。
【図２】  本発明の断面図である。
【符号の説明】
【０００８】  １  バインダー本体
２  とじ具（断面図）
【図１】
0004482919.tif 000002
【図２】
0004482919.tif 000003
(57)【特許請求の範囲】
【請求項１】
チーズ製造が完了し脱水分離させたナチュラルチーズと乳清を用い、４５±３℃の温度とした乳清８０重量％に、ナチュラルチーズ２０重量％を１５分攪拌溶解させてチーズの溶解体を生成し、
８２±２℃に加温した豆乳に寒天を投入してゲル化剤を含む豆乳を生成し、
前記チーズの溶解体８５重量％に、前記ゲル化剤を含む豆乳１５重量％を加えて攪拌して、カップ状プラスック容器に充填し、降温させ凝固させてなるクリーミーなチーズ豆腐の製造方法。
【発明の詳細な説明】
【技術分野】
【０００１】  本発明は、ナチュラルチーズと乳清を用いて生成したチーズの溶剤と、ゲル化剤を加えた未凝固状態の温豆乳とからクリーミーで栄養豊富なチーズ豆腐の製造方法に関するものである。
【背景技術】
【０００２】
従来のチーズ豆腐製造方法は、予め加温調整された豆乳にチーズを投入し攪拌により分散させた後に、更に攪拌しながらゼラチン等のゲル化剤を添加し降温しながら豆腐化するか、冷たい豆乳にチーズを投入し湯煎等の手法を用いて加温・攪拌によって豆乳内にチーズを混合分散（チーズは豆乳にはほとんど溶解しない）後に、更に攪拌しながらゼラチン等のゲル化剤を添加・降温しながら豆腐化するチーズ豆腐製造方法が用いられている。
特許公開2001-29029の豆腐ゼリーなどが代表的な製造方法であって、これらの製造方法で得られたチーズ豆腐はプリン風の滑らかさではあるが、クリーミー性とは表現し難い滑らかさとなっている。
【特許文献１】特開2001-29029号公報
【発明の開示】
【発明が解決しようとする課題】
【０００３】
チーズ豆腐の滑らかさを決定するのは、豆乳の含有量で決定されるのが一般的であるが、香りという食感の中でチーズの存在感を十分に引き出そうとするとチーズ含有量は重量比で20％前後の投入が必要となる。この時の豆乳使用量は重量比80％前後となりザラザラ感が増大する。結果として滑らかな食感を得るための対策としてゼラチン等のゲル化剤の使用量が増大する。そこで本発明においては、チーズの存在感を十分に発揮させ、ゼラチン等のゲル化剤の使用量を極少にすることを可能としたクリーミーで栄養豊富なチーズ豆腐を製造する方法を提供することを目的とする。
【課題を解決するための手段】
【０００４】  本発明に係る請求項１記載のチーズ豆腐の製造方法は、チーズ製造が完了し脱水分離させたナチュラルチーズと乳清を用い、４５±３℃の温度とした乳清８０重量％に、ナチュラルチーズ２０重量％を１５分攪拌溶解させてチーズの溶解体を生成し、８２±２℃に加温した豆乳に寒天を投入してゲル化剤を含む豆乳を生成し、前記チーズの溶解体８５重量％に、前記ゲル化剤を含む豆乳１５重量％を加えて攪拌して、カップ状プラスック容器に充填し、降温させ凝固させてなるものである。
【発明の効果】
【０００５】本発明では、チーズの溶解体８５重量％に、ゲル化剤を含む豆乳１５重量％を加えて攪拌して、カップ状プラスック容器に充填し、降温させ凝固させてチーズ豆腐とすることにより、食感の良いクリーミーで栄養豊富なチーズ豆腐を得ることを可能にした。
【発明を実施するための最良の形態】
【０００６】
チーズ製造途中の凝乳と乳清を用いる場合は、乳牛が食する飼料、季節によって凝乳及び乳清の発生量が異なる事が多く、安定した品質のチーズ豆腐を生産する為には、原価的には若干高くつくものの、チーズ製造が完了し脱水分離させたナチュラルチーズと乳清をチーズ側の原材料として使用することが好ましく、この乳清を用いてナチュラルチーズを溶解するに当たって好ましくは40〜50℃の温度で溶解することにより品質の安定を図る。豆乳においては寒天等を含むゲル化剤のゲル化防止を図るため、好ましくは予め80〜85℃に加温した豆乳にゲル化剤を投入し攪拌溶解準備し、40〜50℃で溶解されたチーズの溶解体に予め準備されたゲル化剤を含む豆乳を加え攪拌し一体化した後、PE，PP，PET，PS等のカップ状プラスック容器に充填し降温させ凝固させることが好ましい。
【実施例】
【０００７】
以下の表1に本発明の具体的実施例を示す。まず、乳清に溶解させたチーズの適量を求める。ジャージ種牛より搾乳された牛乳よりチーズを製造した直後のナチュラルチーズと乳清を準備し以下の実験により適正なチーズ溶解量を求めた。
【０００８】
【表１】
0004482731.tif 000002
【０００９】
記載数値は全量が5000ｇになるように設定された重量比％で表示している。溶解条件として、乳清を45±3℃に加温し各区分15分の攪拌溶解を行った。この実験結果より、乳清とナチュラルチーズの相様性が非常によいことがわかった。しかしチーズの量として重量比5％は濃度が薄すぎてチーズを強調するには適さない。また、重量比40％以上の濃度は濃度的に濃く、マスプロ的にチーズ豆腐を製造する時に製造ロット間に濃度のばらつきを発生させる恐れが多く適さない。チーズの溶解状態及び香りの両面から判断すると乳清とチーズの割合は重量比90〜70％：10〜30％が好ましい。次にこの実験区分で最も良好な結果が得られた区分(3)の条件でチーズ溶解体とゲル化剤を含む豆乳との適正混合量を求めた。その結果を以下の表2に示す。なお、ゲル化剤として伊那食品工業(株)製品のイナゲルを用い豆乳と混合し82±2℃の保温させたものを使用した。また、イナゲルの使用量はチーズ溶解体を含む総重量比で1％とした。
【００１０】
【表２】
0004482731.tif 000003
【００１１】
イナゲル使用量を標準使用量としたこの実験結果より、チーズの香りとクリーミーな食感を両立させる適正量は好ましくは、チーズ溶解体：豆乳量＝85〜80：15〜20であった。
【産業上の利用可能性】
【００１２】
本発明によるクリーミーなチーズ豆腐の製造方法は、チーズ製造時に多量に発生するミネラルをはじめとした栄養豊富な乳清のその大部分が産業廃棄物として処分されている。
この乳清とチーズとの親和力がある事を見出し、この乳清をチーズの溶解剤として用いる事により食感の良い、クリーミーで栄養豊富なチーズ豆腐の製造を可能にし、豆腐を超えたケーキの分野への応用が可能となり市場拡大が期待される。
(57)【特許請求の範囲】
【請求項１】
左右一対の側げたと、該一対の側げた間に架設された踏板と、該踏板の突出段鼻部の垂直後面より前側下方に設置された蹴込板とを有する階段に対して、化粧蹴込板をその後面が前記突出段鼻部の垂直後面と面一又はほぼ面一となるように、スペーサー材を介して前記蹴込板に固定する階段のリフォーム方法。
【発明の詳細な説明】
【０００１】
【発明の属する技術分野】
本発明は階段のリフォーム方法に関する。
【０００２】
【発明の目的】
本発明は、リフォーム作業を少しでも楽にすると共に、既設の階段をより安全なものにリフォームする方法を提供することを目的とするものである。
【０００３】
【課題を解決するための手段】
本発明は前記目的を達成するために以下の如き手段を採用した。
請求項１の発明は、左右一対の側げたと、該一対の側げた間に架設された踏板と、該踏板の突出段鼻部の垂直後面より前側下方に設置された蹴込板とを有する階段に対して、化粧蹴込板をその後面が前記突出段鼻部の垂直後面と面一又はほぼ面一となるように、スペーサー材を介して前記蹴込板に固定するものである。
【０００４】
【発明の効果】
本発明は前記した如き構成によって以下の如き効果を奏する。
請求項１の発明によれば、踏板の突出段鼻部の垂直後面と化粧蹴込板の後面とが面一又はほぼ面一となるように、化粧蹴込板がスペーサー材を介して蹴込板に固定され、踏板の突出段鼻部の下方の側げたの内向き側面が化粧蹴込板によって隠蔽されるので、側げたの内向き側面を化粧する手間を省くことが出来る。また、踏板の突出段鼻部の垂直後面と化粧蹴込板の後面とが面一又はほぼ面一となるので、階段を上る人の爪先が踏板の突出段鼻部に当たって危険となるようなことがない。
【０００５】
【発明の実施の形態】
以下に、発明の実施の形態を説明する。
なお、この説明において、前とは図１右側を、後とは同左側をいい、左とは図１紙面裏側を、右とは同表側をいう。
【０００６】
竣工時の階段１は、建物の左右の側壁２に取り付けられた左右一対の側げた３と、左右の側げた３の相互に対向する内向き側面３ａに相互に対向するようにして形成された前方及び右又は左方に開放した踏板嵌入溝５に嵌められた踏板６と、左右の側げた３の相互に対向する内向き側面３ａに相互に対向するようにして形成された下方及び右又は左方に開放した蹴込板嵌入溝７に嵌められた蹴込板８とを有している。
【０００７】
前記階段１が以下のようにリフォームされる。
【０００８】
［第１工程］
化粧蹴込板１０を、左右幅が「Ｌ」（図２参照）で、上下長さが「Ｍ」（図１参照）となるように切断する。その後、化粧蹴込板１０を、その後面１０ａが踏板６の突出段鼻部９の垂直後面９ａと面一又はほぼ面一となるように、少なくとも１本、この実施の形態では４本のスペーサー材１１（例えば、角材等からなる）を介して蹴込板８に張り付ける。
この説明から明らかなごとく、化粧蹴込板１０は工場出荷時には、ほとんどの施工現場の階段１（蹴込板８）に対応出来るように切り除き部分を有する、大きめの形状のものとなされている。なお、以下に説明する部材も同様に切り除き部分を有する大きめ又は長めの形状となされている。
張り付けは、接着剤・釘等公知の固定手段により行なわれる。
【０００９】
［第２工程］
化粧踏板１３を、左右幅が「Ｌ」で、前後長さが「Ｎ」（図１参照）となるように切断した後、踏板６に、突出段鼻部９の上面を覆わないようにして張り付ける。
Ｎ＝Ｑ−Ｏ−Ｐ（図１参照）
【００１０】
［第３工程］
単位化粧側板１６を図４の実線で示すごとき階段１の１段に対応した形状にして、側げた３の、人の目に触れる内向き側面３ａに張り付ける。なお、１６ａは単位化粧側板１６の傾斜上縁、１６ｂは単位化粧側板１６の水平縁、１６ｃは単位化粧側板１６の垂直縁である。
なお、作業者（大工）は単位化粧側板１６を切断する際、単位化粧側板１６を一旦小さく切断してしまうと、その切断された単位化粧側板１６は使いものにならないので、作業者は単位化粧側板１６を僅かに大きめに切断する傾向にあり、そのため、ほとんどの切断後の単位化粧側板１６の傾斜縁１６ａは側げた３の傾斜上面より突出することになる。
【００１１】
［第４工程］
段鼻装飾材本体２２を左右長さが「Ｒ」（図２参照）となるように切断して、踏板６の突出段鼻部９に張り付ける。その後、滑り止め材２３を左右長さが「Ｒ」（図２参照）となるように切断して、段鼻装飾材本体２２の凹所２４に張り付ける。
【００１２】
［第５工程］
下面に単位化粧側板１６の傾斜上縁１６ａが嵌まり込む溝２７が形成されている長尺化粧材２６を、単位化粧側板１６の傾斜上縁１６ａが溝２７に嵌まり込むようにして、側げた３の傾斜上面及び単位化粧側板１６の傾斜上面に張り付ける。
なお、下から順次長尺化粧材２６を張って行き、最上部に張り付けられる長尺化粧材２６を残りの側げた３に対応した長さに切断する。
【００１３】
【変形例等】
以下に変形例等について説明を加える。
（１）単位化粧側板１６の形状は、実施の形態のものに限定されない。
（２）側げた３の形状は任意である。
【図面の簡単な説明】
【図１】本発明の実施の形態方法によってリフォームされた階段の要部縦断面図である。
【図２】図１のＩＩ−ＩＩ線に沿う中間省略の断面図である。
【図３】図１のＩＩＩ−ＩＩＩ線に沿う中間省略の断面図である。
【図４】単位化粧側板を示す側面図である。
【符号の説明】
６  踏板
９  突出段鼻部
９ａ  突出段鼻部の垂直後面
１０  化粧蹴込板
１０ａ  化粧蹴込板の後面
１１  スペーサー材
【図１】
0004476454.tif 000002
【図２】
0004476454.tif 000003
【図３】
0004476454.tif 000004
【図４】
0004476454.tif 000005
(57)【特許請求の範囲】
【請求項１】
踏板と、この踏板の後部に垂下状に固定された段鼻装飾材とを有し、該段鼻装飾材の上部に踏板の後部が嵌まる上方及び前方に開放した段落ち部が形成され、この段落ち部に踏板の後部が嵌められている階段用建材。
【請求項２】
前記踏板の下方に蹴込板が設置され、前記段鼻装飾材の少なくとも後面下部が上から下に行くに従って前記蹴込板側に近付く傾斜面となされている請求項１記載の階段用建材。
【請求項３】
前記踏板の下面にクッション材が張り付けられている請求項１又は２記載の階段用建材。
【発明の詳細な説明】
【０００１】
【発明の属する技術分野】
本発明は階段用建材に関する。
【０００２】
【発明の目的】
本発明は、施工が楽で、且つ、安全性の高い階段を得ることが出来る階段用建材を提供することを目的とするものである。
【０００３】
【課題を解決するための手段】
本発明は前記目的を達成するために以下の如き手段を採用した。
請求項１の発明は、踏板と、この踏板の後部に垂下状に固定された段鼻装飾材とを有し、該段鼻装飾材の上部に踏板の後部が嵌まる上方及び前方に開放した段落ち部が形成され、この段落ち部に踏板の後部が嵌められているものである。
請求項２の発明は、前記踏板の下方に蹴込板が設置され、前記段鼻装飾材の少なくとも後面下部が上から下に行くに従って前記蹴込板側に近付く傾斜面となされている請求項１記載のものである。
請求項３の発明は、前記踏板の下面にクッション材が張り付けられている請求項１又は２記載のものである。
【０００４】
【発明の効果】
本発明は前記した如き構成によって以下の如き効果を奏する。
請求項１の発明によれば、段鼻装飾材の上部の上方及び前方に開放した段落ち部に踏板の後部を嵌めることにより、段鼻装飾材が踏板の後部に垂下状に固定され、両者の位置決めが出来るので、両者の固定作業が行ないやすく、施工性がよい。
請求項２の発明によれば、踏板の後部に垂下状に固定された段鼻装飾材の少なくとも後面下部が上から下に行くに従って踏板の下方に設置された蹴込板側に近付く傾斜面となされているので、階段を上る人の爪先が段鼻装飾材に当たった場合、該傾斜面が爪先をスムーズに上側に導くガイド面となり、安全性を高めることが出来る。
請求項３の発明によれば、踏板の下面に凹凸を吸収するクッション材が張り付けられているので、階段用建材をコンクリート製の階段構造体の踏板張付面に直張りすることが出来る。
【０００５】
【発明の実施の形態】
以下に、発明の実施の形態を説明する。
なお、この説明において、前とは図１右側を、後とは同左側をいい、左とは図１紙面裏側を、右とは同表側をいう。
【０００６】
建物の左右の側壁１に一体に構成された階段構造体２は、上下方向に所定間隔で且つ平面から見て相互にずれるようにして形成された多数の踏板張付面３と、上下の踏板張付面３を繋ぐ蹴込板張付面４とを有している。
【０００７】
前記蹴込板張付面４に、左右幅が「Ｌ」（図２参照）で上下長さが「Ｍ」（図１参照）の蹴込板６が、その裏面に張られたクッション材７を介して、接着剤等により張り付けられている。
【０００８】
前記踏板張付面３に、左右幅が「Ｌ」で前後長さが「Ｎ」（図１参照）の階段用建材９が接着剤等により張り付けられている。
【０００９】
前記階段用建材９は、踏板１０と、この踏板１０の後部に後で述べるようにして垂下状に固定された段鼻装飾材１１と、踏板１０の下面に張られたクッション材１２とを有している。
【００１０】
前記段鼻装飾材１１の上部に、踏板１０の後部が嵌まる上方及び前方に開放した段落ち部１４が形成され、この段落ち部１４に踏板１０の後部が嵌め止められている。
【００１１】
前記段鼻装飾材１１の、少なくとも後面下部が、この実施の形態では後面下部が、上から下に行くに従って蹴込板６側に近付く傾斜面１１ａとなされている。また、段鼻装飾材１１の垂直前面は蹴込板６に密接させられている。
【００１２】
前記段鼻装飾材１１の下方の、側壁１の内向き側面に、スペーサー材１６が張り付けられている。
【００１３】
前記側壁１の内向き側面に、踏板１０の左右縁に沿うようにして水平な幅木１８が張り付けられ、また、側壁１の内向き側面に、スペーサー材１６及び段鼻装飾材１１の左右後縁に沿うようにして垂直な幅木１８が張り付けられている。
【００１４】
【変形例等】
以下に変形例等について説明を加える。
（１）踏板１０及び段鼻装飾材１１の素材は一般的には木質系素材であるが、それに限定されない。
（２）段鼻装飾材１１の傾斜面１０ａの水平面に対する角度Θ（図１参照）は、６０度以上９０度未満である。
（３）段鼻装飾材１１の前後長さ「Ｏ」（図１参照）は、５ｍｍから１０ｍｍ程度が好ましい。
【図面の簡単な説明】
【図１】本発明の実施の形態を示す要部縦断面図である。
【図２】図１のＩＩ−ＩＩ線に沿う中間省略の断面図である。
【符号の説明】
６  蹴込板
９  階段用建材
１０  踏板
１１  段鼻装飾材
１１ａ  傾斜面
【図１】
0004476455.tif 000002
【図２】
0004476455.tif 000003
(57)【特許請求の範囲】
【請求項１】
段鼻部の上部に段落ち部が形成され、段板と該段板の上面に前記段落ち部を残すように張り付けた化粧段板とにより構成された踏板の段鼻装飾材であって、段鼻部の側面を覆う垂直部及びこの垂直部の上端に前方突出状に連設されていて前記段落ち部を覆うようになされると共に、上部前側に滑り止め材嵌合段落ち部が形成された水平部を含む木質系素材の本体と、前記滑り止め材嵌合段落ち部に嵌められると共に前端部に前記化粧段板の段落ち部側の上方縁部を覆う張出覆い縁を有しており、木質系素材より弾性を有する滑り止め材とを有し、前記滑り止め材嵌合段落ち部が形成された部分の前記水平部の厚さが前記化粧段板の厚さより薄い段鼻装飾材。
【発明の詳細な説明】
【０００１】
【発明の属する技術分野】
本発明は段鼻装飾材に関する。
【０００２】
【従来の技術】
従来、この種の段鼻装飾材として図４に示す如きものは知られている。
段鼻部７の上部に段落ち部８が形成された踏板９の段鼻装飾材３１であって、段鼻部７の側面７ａを覆う垂直部３２と、この垂直部３２の上端に前方（図４の右方）突出状に連設された、段落ち部８を覆う水平部３３と、前記水平部３３の前端部に連設された、踏板９の、段落ち部８の上方縁部を覆う張出覆い縁３４と、前記水平部３３の上面に形成された凹所３６に嵌め止められた、木質系素材より弾性を有する滑り止め材３７とを有するものは知られている。
垂直部３２、水平部３３及び張出覆い縁３４からなる本体は、木質系の素材によって成形されたものである。
【０００３】
【従来技術の欠点】
前記従来の段鼻装飾材３１には以下の如き欠点があった。
垂直部３２、水平部３３及び張出覆い縁３４からなる本体が木質系の素材により一体に成形されたものであるので、張出覆い縁３４が施工中や施工完了後の使用中に破損しない強度を保持するようにする必要から、張出覆い縁３４の高さは３ｍｍ程度としなければならなかった。そのため、踏板９の上面から３ｍｍ程度突出した張出覆い縁３４に老人等がつまずくという欠点があった。
【０００４】
【課題を解決するための手段】
本発明は前記欠点を解消するために以下の如き手段を採用した。
請求項１の発明は、段鼻部の上部に段落ち部が形成され、段板と該段板の上面に前記段落ち部を残すように張り付けた化粧段板とにより構成された踏板の段鼻装飾材であって、段鼻部の側面を覆う垂直部及びこの垂直部の上端に前方突出状に連設されていて前記段落ち部を覆うようになされると共に、上部前側に滑り止め材嵌合段落ち部が形成された水平部を含む木質系素材の本体と、前記滑り止め材嵌合段落ち部に嵌められると共に前端部に前記化粧段板の段落ち部側の上方縁部を覆う張出覆い縁を有しており、木質系素材より弾性を有する滑り止め材とを有し、前記滑り止め材嵌合段落ち部が形成された部分の前記水平部の厚さが前記化粧段板の厚さより薄いものである。
【０００５】
【発明の効果】
本発明は前記した如き構成によって以下の如き効果を奏する。
請求項１の発明によれば、木質系素材より弾性を有する滑り止め材に張出覆い縁が形成されたものであるので、張出覆い縁の高さを１ｍｍ前後と低くしても張出覆い縁が破損・欠損する恐れが無く、その結果、従来に比較して安全性を向上させることが出来る。
請求項１の発明によれば、張出覆い縁が弾性を有するので、段落ち部の寸法精度が悪い場合でも、張出覆い縁を段板の上面に張り付けた化粧段板の段落ち部側の上方縁部に密接させることが出来る。
【０００６】
【発明の実施の形態】
以下に、この発明の実施の形態を説明する。
なお、この説明において、前とは図１右側を、後とは同左側をいい、左とは図１紙面裏側を、右とは同表側をいう。
【０００７】
竣工時の階段１は、建物の左右の側壁２に取り付けられた左右一対のささら桁３と、これらささら桁３の水平支承面４に渡された段板５と、上側の段板５の後端部と下側の段板５の前端部とに渡し止められた蹴込板６とを有していた。
【０００８】
前記階段１が以下のようにリフォームされている。
段板５の上面に、段鼻部７の上面を残すようにして化粧段板１１が張られ、蹴込板６に化粧蹴込板１０が張られている。この実施の形態では、化粧段板１１によって覆われない段鼻部７の上面が段落ち部８となされている。この説明から明らかなごとく、段板５と化粧段板１１とによって請求の範囲で云う踏板９が構成されている。
【０００９】
段板５の段鼻部７が段鼻装飾材１２によって覆われている。
前記段鼻装飾材１２は、段鼻部７の側面７ａを覆う垂直部１３と、この垂直部１３の上端に前方突出状に連設されていて前記段落ち部８を覆うようになされると共に、上部に滑り止め材嵌合段落ち部１４が形成された水平部１５と、前記滑り止め材嵌合段落ち部１４に嵌められると共に前端部に踏板９の、段落ち部８の上方縁部を覆う張出覆い縁１６を有する、ＡＢＳ・塩化ビニル・ゴム等からなる木質系素材より弾性を有する滑り止め材１７とを有している。
水平部１５はねじ（図示略）等により段落ち部８に固定され、滑り止め材１７は両面接着テープ等により滑り止め材嵌合段落ち部１４の底面に固定される。
【００１０】
前記段板５、蹴込板６、化粧段板１１、化粧蹴込板１０、段鼻装飾材１２は、左右長さが「Ｌ」となされている。化粧段板１１、化粧蹴込板１０及び段鼻装飾材１２の左右の端部を隠蔽するべく、幅木１９、幅木２０が側壁２に取り付けられている。
【００１１】
【変形例等】
以下に変形例等について説明を加える。
（１）垂直部１３及び水平部１５からなる本体の素材は任意である。
（２）ささら桁３の形状は任意である。
（３）段板５と化粧段板１１とを一体とした踏板を製造し、それを新築家屋の施工に使用することにより、本願の段鼻装飾材を新築用のものとして使用し得ることは云うまでもない。
【図面の簡単な説明】
【図１】本発明の実施の形態を示す要部縦断面図である。
【図２】図１のＩＩ−ＩＩ線に沿う中間省略の断面図である。
【図３】図１のＡ部分拡大図である。
【図４】従来の段鼻装飾材を示す要部断面図である。
【符号の説明】
５  段板
７  段鼻部
７ａ  側面
９  踏板
８  段落ち部
１２  段鼻装飾材
１３  垂直部
１４  滑り止め材嵌合段落ち部
１５  水平部
１６  張出覆い縁
１７  滑り止め材
【図１】
0004476448.tif 000002
【図２】
0004476448.tif 000003
【図３】
0004476448.tif 000004
【図４】
0004476448.tif 000005